(57)【要約】      （修正有）【課題】使用者の体から脱落することを抑制する電位測定装置を提供する。【解決手段】電位測定装置は、上半身筋肉の電位を測定する装置であって、中央処理装置１１、検出ユニット３０、および、スクリーン１５を備える。検出ユニット３０は、使用者の上半身に取り付け可能であり、所定位置に複数のセンサ４０〜４６が設けられており、上半身を収納する腔室、腕が通る腕部開口３２、および、首部が通る首部開口３３を有する。スクリーン１５は、中央処理装置１１に電気的に接続されており、上半身の運動の姿勢に対応する筋肉の電位の基準値を表す第一画像を表示する第一エリア１６、ならびに、上半身の運動の姿勢に対応する筋肉の電位の測定値を表す第二画像を表示する第二エリア１７を有する。【選択図】図１
0003181546.tif 000002
【実用新案登録請求の範囲】
【請求項１】
上半身（８０）の筋肉の電位を測定する装置であって、
前記上半身（８０）に取り付け可能であり、所定位置に複数のセンサ（４０〜４６）が設けられており、前記上半身（８０）を収納する腔室（３１）、腕（８１）が通る腕部開口（３２）、および、首部（８２）が通る首部開口（３３）を有する検出ユニット（３０）と、
前記センサ（４０〜４６）に電気的に接続されており、前記センサ（４０〜４６）から検出された電位信号を処理する中央処理装置（１１）と、
前記中央処理装置（１１）に電気的に接続されており、前記上半身（８０）の運動の姿勢に対応する筋肉の電位の基準値を表す第一画像（１８、１９）を表示する第一エリア（１６）、ならびに、前記上半身（８０）の運動の姿勢に対応する筋肉の電位の測定値を表す第二画像（２０、２１）を表示する第二エリア（１７）を有するスクリーン（１５）と、を備えることを特徴とする電位測定装置。
【請求項２】
前記検出ユニット（３０）には、更に位置合わせマーク（４７〜４９）が設けられていることを特徴とする請求項１記載の電位測定装置。
【考案の詳細な説明】
【技術分野】
【０００１】
本考案は電位測定装置に関するものである。
【背景技術】
【０００２】
現在、筋肉の電位を測定する装置は、複数の測定ヘッド（ｈｅａｄ）またはセンサを使用者の筋肉に対応する所定個所に貼り付け、筋肉の使用状況を測定する。
【考案の概要】
【考案が解決しようとする課題】
【０００３】
ところが、使用者が運動中である場合、特に汗が出る場合、測定ヘッドまたはセンサ（ｓｅｎｓｏｒ）は、不安定な状態となり、使用者の体から脱落しやすくなる。
本考案は、上述の問題に鑑みてなされたものであり、上半身に取り付けられ、体から脱落することを抑制する電位測定装置を提供するものである。
【課題を解決するための手段】
【０００４】
本考案による電位測定装置は、上半身の筋肉の電位を測定する装置であって、中央処理装置（１１）、検出ユニット（３０）、および、スクリーン（１５）を備える。
検出ユニット（３０）は、使用者（８）の上半身（８０）に取り付け可能であり、所定位置に複数のセンサ（４０〜４６）が設けられており、上半身（８０）を収納する腔室（３１）、腕（８１）が通る腕部開口（３２）、および、首部（８２）が通る首部開口（３３）を有する。
中央処理装置（１１）は、センサ（４０〜４６）に電気的に接続されており、センサ（３２−３７）から検出された電位信号を処理する。
スクリーン（１５）は、中央処理装置（１１）に電気的に接続されており、上半身（８０）の運動の姿勢に対応する筋肉の電位の基準値を表す第一画像（１８、１９）を表示する第一エリア（１６）、ならびに、上半身（８０）の運動の姿勢に対応する筋肉の電位の測定値を表す第二画像（２０、２１）を表示する第二エリア（１７）を有する。
【図面の簡単な説明】
【０００５】
【図１】本考案の一実施形態による電位測定装置を示す模式図である。
【図２】本考案の一実施形態による電位測定装置のスクリーンを示す平面図である。
【図３】本考案の一実施形態による電位測定装置の検出ユニットを示す斜視図である。
【図４】本考案の一実施形態による電位測定装置の応用状態を示す平面図である。
【図５】本考案の一実施形態による電位測定装置の応用状態を示す平面図である。
【図６】本考案の一実施形態による電位測定装置のスクリーンを示す平面図である。
【図７】本考案の一実施形態による電位測定装置のスクリーンを示す平面図である。
【図８】本考案の一実施形態による電位測定装置のスクリーンを示す平面図である。
【図９】本考案の一実施形態による電位測定装置のスクリーンを示す平面図である。
【考案を実施するための形態】
【０００６】
（一実施形態）
本考案の一実施形態を図面に基づいて説明する。
図１に示すように、本考案の一実施形態による電位測定装置は、中央処理装置（１１）および中央処理装置（１１）に接続されているディスプレー（１２）を有するコンピュータ（ｃｏｍｐｕｔｅｒ）（１０）および取り付け装置（３）を備える。ディスプレー（１２）は、情報等を表示するためのスクリーン（１５）を有する。例えば、図２、６〜９に示すように、スクリーン（１５）は使用者（８）の正面或いは裏面の状態（図４、５）及び／または使用者（８）の運動の姿勢を表す。取り付け装置（３）は立体的な検出ユニット（３０）を含む（図１、３〜５）。検出ユニット（３０）は、ゴム（ｇｕｍ）、プラスチック（ｐｌａｓｔｉｃ）、複合材料、布、または、不織布等材料から作られたフレキシブル（ｆｌｅｘｉｂｌｅ）な取り付けエレメントである。検出ユニット（３０）は、使用者（８）の上半身（８０）に取り付けられ（図４、５）、運動しても使用者（８）の身体から脱落しない。検出ユニット（３０）は、使用者（８）の上半身（８０）を収納する腔室（３１）（図３）、肩または肘（８１）が通る腕部開口（３２）、および、首部（８２）が通る首部開口（３３）を有する。
【０００７】
複数のセンサ（４０〜４５）は、検出ユニット（３０）の内側の面（３４）に貼り付けられている。センサ（４０、４１）は上半身（８０）の胸部に対応する検出ユニット（３０）の前側に設けられている。センサ（４２〜４５）はそれぞれ上半身（８０）の他の所定箇所に対応する検出ユニット（３０）の所定位置に設けられ、たとえば上半身（８０）の上側または肩部、側辺個所または腕個所等に対応する位置に設けられている。センサ（４６）は検出ユニット（３０）の内側の面（３４）の他の位置、例えば頚椎と胸椎とが連接する個所に相対する位置に設けられている。センサ（４０〜４６）は中央処理装置（１１）に電気てきに接続され、検出された信号を中央処理装置（１１）へ伝送する。検出ユニット（３０）には一つ以上の位置合わせマーク（４７〜４９）が設けられている。これにより、検出ユニット（３０）のセンサ（４０〜４６）の位置と測定しようとする筋肉の位置とがずれることを抑制することができる。
【０００８】
図２、６〜９に示すように、ディスプレー（１２）のスクリーン（１５）は少なくとも二つのエリア（１６、１７）を有する。第一エリア（１６）は二つの画像（１８、１９）を表示する。画像（１８、１９）は、使用者（８）の上半身（８０）の運動の姿勢に対応する筋肉の電位の基準値を表す。画像（１８、１９）は、コンピュータ装置（１０）内に記憶されたすでにテスト（ｔｅｓｔ）および校正を経た正確な情報に基づいて作られ、異なる色および光度、点線、明暗差またはブライトネス（ｂｒｉｇｈｔｎｅｓｓ）等を用いて筋肉の電位情報を表す。スクリーン（１５）の第二エリア（１７）は二つの画像（２０、２１）を表示する（図２、６）。画像（２０、２１）は、使用者（８）の運動の姿勢に対応する筋肉の電位の測定値を表す。画像（２０、２１）は、センサ（４０〜４６）により測定された運動中の筋肉の電位情報を表す。検出された筋肉の電位は、中央処理装置（１１）により処理され、スクリーン（１５）の第二エリア（１７）の画像（２０、２１）に表れる。画像（２０、２１）は、各種異なる色差および光度、点線、明暗差またはブライトネス等を用いて筋肉の運動中の状態を表れる。
【０００９】
図７〜９に示すように、スクリーン（１５）の第二エリア（１７）は使用者（８）の運動の姿勢を表示することができる。例えば肩部または肘を外回しした状態（図７）、腕を前または上に伸ばした状態（図８）、肩または肘を持ち上げた状態（図９）を表示する。筋肉の標準的な情報はスクリーン（１５）の第一エリア（１６）に表示される。スクリーン（１５）の第一エリア（１６）に表示された情報は、すでにテストおよび校正を経た標準的な情報であり、コンピュータ（１０）内に記憶されている情報である。使用者（８）の運動中の筋肉の使用状態はスクリーン（１５）の第二エリア（１７）に表示される。図７〜９に表れていない使用者（８）の他の運動の姿勢も予めテストおよび校正を経て、コンピュータ（１０）内に記憶されている。
【００１０】
図４〜５に基づいて本実施形態の操作方法について説明する。使用者（８）は検出ユニット（３０）を上半身（８０）に取り付ける。位置合わせマーク（４７〜４９）と使用者（８）の体の参考個所と合わせる。センサ（４０〜４６）を検出ユニット（３０）の所定位置に設置すれば、測定したい筋肉の状況を測定することができる。図２に示すように、使用者（８）は、運動する筋肉群または運動の姿勢を選ぶことができ、それをスクリーン（１５）のエリア（２２）に表示し、運動の姿勢をスクリーン（１５）の第二エリア（１７）に表示することができる。運動中の場合、図２、６に示すように、スクリーン（１５）の第二エリア（１７）の画像（２０、２１）は、使用者（８）の運動中の筋肉の状態を表示する。使用者（８）は、第二エリア（１７）の画像（２０、２１）と第一エリア（１６）の画像（１８、１９）とを比較し、運動の姿勢を直し、より標準的な姿勢で運動することができる。
【符号の説明】
【００１１】
１１・・・中央処理装置、
１５・・・スクリーン、
３０・・・検出ユニット、
４０〜４６・・・センサ。
【図１】
0003181546.tif 000003
【図２】
0003181546.tif 000004
【図３】
0003181546.tif 000005
【図４】
0003181546.tif 000006
【図５】
0003181546.tif 000007
【図６】
0003181546.tif 000008
【図７】
0003181546.tif 000009
【図８】
0003181546.tif 000010
【図９】
0003181546.tif 000011